(57)【特許請求の範囲】
【請求項１】
基材上の少なくとも一部に印刷画像領域を備え、
前記印刷画像領域は、正反射光下で明暗フリップフロップ性又はカラーフリップフロップ性の少なくともいずれか一方の特性を有する蒲鉾形状要素が第一の方向に所定のピッチで複数配列した蒲鉾形状要素群の上に、正反射光下における前記蒲鉾形状要素の色彩と異なる色彩を有する潜像要素群が積層されて成り、
前記潜像要素群は、第一の基画像を前記第一の方向に分割した画像を所定の縮率で圧縮した複数のＩＰ要素が前記第一の方向に前記所定のピッチで複数配列したＩＰ要素群と、第二の基画像を前記第一の方向に分割した画像を所定の縮率で圧縮し前記第一の方向にミラー反転した複数のＩＰ反転要素が前記第一の方向に前記所定のピッチで複数配列したＩＰ反転要素群を有し、前記ＩＰ要素と前記ＩＰ反転要素とは、前記第一の方向に重ならないように交互に配置され、
正反射光下で観察した場合には、前記第一の基画像または前記第二の基画像が出現し、観察角度を連続的に変化させると前記第一の基画像または前記第二の基画像が連続的に動いて視認される中で、前記第一の基画像または前記第二の基画像のどちらかが一方の端点に達すると、前記第二の基画像または前記第一の基画像が他方の端点に向かうことを特徴とする潜像印刷物。
【請求項２】
前記第一の基画像と前記第二の基画像が、同じ画像であることを特徴とする請求項１記載の潜像印刷物。
【請求項３】
前記潜像要素群を、さらに第一の基画像ａとして第一の方向とは異なる第二の方向に分割した画像を所定の縮率で圧縮した複数のＩＰ要素ａを、前記第二の方向に前記所定のピッチで複数配列したＩＰ要素群ａと、第二の基画像ａとして前記第二の方向に分割した画像を所定の縮率で圧縮し前記第二の方向にミラー反転した複数のＩＰ反転要素ａが、前記第二の方向に前記所定のピッチで複数配列したＩＰ反転要素群ａを有し、前記ＩＰ要素ａと前記ＩＰ反転要素ａとが、前記第二の方向に重ならないように交互に配置された潜像要素群ａとして、前記第二の方向に前記所定のピッチで複数配列した蒲鉾形状要素群に積層されることを特徴とする請求項１又は２記載の潜像印刷物。
【発明の詳細な説明】
【技術分野】
【０００１】
本発明は、偽造防止効果を必要とするセキュリティ印刷物である銀行券、パスポ−ト、有価証券、身分証明書、カ−ド、通行券等の貴重印刷物の分野において、正反射光下で動いて見える効果を有し、特に動きが連続的でスムーズであることを特徴とする潜像印刷物に関する。
【背景技術】
【０００２】
銀行券、パスポ−ト、有価証券、身分証明書等に代表されるセキュリティ印刷物には、複製や偽造を防止するために、偽造防止技術が必要とされている。また、偽造防止技術の中でも、すかしやホログラム等に代表される、道具を必要とせず、印刷物を手にした全ての人が真偽判別に利用できる偽造防止技術が特に必要とされている。
【０００３】
この中でも、画像が動いて見える、いわゆる「動画的な視覚効果」を備えた偽造防止技術が特に注目されている。画像が動いて見える動画的な視覚効果（以下、「動画効果」という。）は、人目を惹きやすく、また偽造することが困難であることから、近年、セキュリティ印刷物の真偽判別要素として多く用いられる傾向にある。動画効果を実現可能な公知技術としてホログラム、パララックスバリアやレンチキュラー等を用いた技術が存在し、これらの技術が備える、わずかな角度変化で画像を変化させられるという特徴を活かして、画像が立体的に視認できる効果や、動画効果を備えたセキュリティ印刷物は、すでに広く存在している。
【０００４】
しかし、一般的なパララックスバリアやレンチキュラーを用いて動画的効果を実現した場合、クリア層かレンズが必要となることから、基材がほぼプラスティックに限定される上、印刷物には一定の厚み（少なくとも１５０μｍ程度）が必要となり、一般に流通する印刷物に許される厚さを超えるため、厚さに制限のある印刷物には用いることができず、一定の厚みが許されるプラスティック製カード以外には採用されない傾向にある。また、ホログラムは極めて薄く仕上げることは可能であり、銀行券を代表とする各種セキュリティ印刷物に用いられているものの、一般的な印刷物と比較すると、製造工程の複雑さと高い製造コストに大きな問題がある。
【０００５】
以上の問題を解決するため、本出願人は、高い光沢及び盛り上がりを有する蒲鉾状の画線に光が入射した場合に、盛り上がりを有する蒲鉾状の画線のうち、入射する光と法線を成す面のみが強く光を反射する現象を利用した、立体効果及び動画効果を形成することが可能な印刷技術をすでに出願している。特許文献１に記載の技術は、インテグラルフォトグラフィと呼ばれる立体画像の撮像方法によって得られる画像を画像処理によって形成したもので、優れた動画効果を実現できる技術である。これらの技術は、パララックスバリアやレンチキュラーの１０分の１程度の厚さで形成することが可能であって、製造技術も従来からある製版技術と印刷技術を活用することで容易に実施可能であり、かつ、一般的な印刷物と同じコストで動画効果を備えた印刷画像を形成することができるという優れた特徴を有する。
【先行技術文献】
【特許文献】
【０００６】
【特許文献１】特開２０１１−１２６０２８号公報
【発明の概要】
【発明が解決しようとする課題】
【０００７】
特許文献１の技術は、入射した光を強く正反射する特性を有し、かつ、盛り上がりを有した蒲鉾状の画線や画素で形成された蒲鉾形状要素群の上に、基画像を分割、圧縮して形成した潜像要素群を重ね合わせて形成する技術であり、正反射光下で蒲鉾形状要素群と潜像要素群が干渉することで潜像として基画像が出現し、印刷物の傾きを変化させることで基画像が動いて見える効果を有する技術である。この技術は、動画効果に特に優れた技術であり、出現した基画像は連続的にスムーズに動くことを特徴とするが、その一方で蒲鉾形状要素群と潜像要素群の重ね合わせの位置が適正な位置からずれて形成された場合には、正反射光下におけるわずかな観察角度の変化によって、出現する基画像がある特定の位置から全く異なる位置へと突然位相を変化させる「ジャンプ」と呼ばれる現象が生じ、観察者に違和感を生じさせてしまうという問題があった。
【０００８】
この問題について以下に具体的に説明する。図３５に示すのは、蒲鉾形状要素群と潜像要素群の重ね合わせの位置関係が適正である場合の正反射光下での基画像の動きを示した図である。図３５の例では、それぞれの潜像要素のＡ側の端からＡ´側の端に向かって順に、基画像がＡ→Ｂ→Ｃ方向に動く連続した画像情報の一部が付与されている。特許文献１の技術は、潜像要素の画像情報が一部サンプリングされることで基画像が可視化され、傾きを変化させることで、潜像要素の画像情報のサンプリングされる位置が変化し、それによって出現する基画像の位相が変化する構成である。そのため、図３５（ａ）に示すように、一つの蒲鉾形状要素に対して、一つの潜像要素が一対で対応した適正な重ね合わせの位置関係が構成されている場合には、図３５（ｂ）から図３５（ｃ）をへて図３５（ｄ）へと潜像印刷物の傾きを変化さると、それぞれの潜像要素の画像情報がサンプリングされる位置は、蒲鉾形状要素の画線表面の盛り上がりに沿って潜像要素のＡ側から潜像要素のＡ´側へ移動するため、その結果再生される基画像は、それぞれの画像情報に対応してＡからＢを経てＣの位置へと、同じ左（Ａ´→Ａ）方向に移動する。これがこの技術の基画像の最も望ましい動き方の一例である。
【０００９】
一方、図３６に示すのは、蒲鉾形状要素群と潜像要素群の重ね合わせの位置関係が適正な状態からずれた場合の正反射光下での基画像の動きを示した図である。図３６の例でも、図３５の例と同様にそれぞれの潜像要素のＡ側の端からＡ´側の端に向かって順に、基画像がＡ→Ｂ→Ｃ方向に動く連続した画像情報の一部が付与されている。しかし、図３６（ａ）の例では、図３５（ａ）とは異なり、一つの蒲鉾形状要素に対して、二つの別の潜像要素が重なる位置関係で構成されている。この潜像印刷物に対して、図３６（ｂ）から図３６（ｃ）を経て図３６（ｄ）へと傾きを変化させた場合、それぞれの潜像要素のサンプリングされる位置は、蒲鉾形状要素の画線表面の盛り上がりに沿って変化するが、蒲鉾形状要素の画線表面には二つの別の潜像要素が重なっているため、まず蒲鉾形状要素のＡ側の画線表面に重ねられた潜像画像の情報が再生され、一旦ブランクを挟んで蒲鉾形状要素のＡ´側の画線表面に重ねられた別の潜像画像の情報が再生される。そのため、まず基画像は、Ｃの位置に出現して左方向へと少し移動したのち、一旦完全に消失し、そののち再びＡの位置に出現する。これが「ジャンプ」と呼ばれる現象であり、一つの蒲鉾形状要素に対して二つの別の潜像要素が重なった場合に生じる。仮にブランクがない構成の場合には基画像が一旦消失することはないが、Ｃの位置あった基画像がＡの位置に位相を変えて出現することは同じであり、「ジャンプ」現象とは、本来なら連続的に変化すべき基画像の位置が不連続に変化する現象を指す。
【００１０】
この「ジャンプ」現象を避けるためには、蒲鉾形状要素群と潜像要素群とを一対に重なるように刷り合わせを正確に制御する必要があるが、蒲鉾形状要素群と潜像要素群とは別々の印刷方式の印刷機で形成される場合がほとんどであり、この場合、蒲鉾形状要素群と潜像要素群の刷り合わせを正確に合わせることは難しく、「ジャンプ」現象を完全に無くすことは困難であった。そのため、「ジャンプ」現象によって生じる違和感を低減させるために、潜像要素群の中に同じ基画像を別の場所にも複数配置した「ちらし」と呼ばれる画像構成を用い、かつ、それぞれの基画像の第一の方向への位相をわずかずつずらし、いずれかの基画像に「ジャンプ」が生じた場合でも、それ以外の基画像は「ジャンプ」していない状態を作り出し、必ずいずれかの基画像が動いている効果を見せることで「ジャンプ」への違和感を低減する構成を用いることが一般的であった。しかし、この「ちらし」の構成では印刷画像中に基画像を複数配置する必要があり、印刷画像として大きな面積を必要とするため、製品デザイン上の大きな制約となることがあった。
【００１１】
本発明は、前述した課題の解決を目的とするものであり、正反射光下で出現する基画像のジャンプ現象を無くすことを目的とし、基画像の位相が連続的にスムーズに変化する動画効果が発揮される潜像印刷物を提案することを目的とする。
【課題を解決するための手段】
【００１２】
本発明の潜像印刷物は、基材上の少なくとも一部に印刷画像領域を備え、印刷画像領域は、正反射光下で明暗フリップフロップ性又はカラーフリップフロップ性の少なくともいずれか一方の特性を有する蒲鉾形状要素が第一の方向に所定のピッチで複数配列した蒲鉾形状要素群の上に、正反射光下における蒲鉾形状要素の色彩と異なる色彩を有する潜像要素群が積層されて成り、潜像要素群は、第一の基画像を第一の方向に分割した画像を所定の縮率で圧縮した複数のＩＰ要素が第一の方向に所定のピッチで複数配列したＩＰ要素群と、第二の基画像を第一の方向に分割した画像を所定の縮率で圧縮し第一の方向にミラー反転した複数のＩＰ反転要素が第一の方向に所定のピッチで複数配列したＩＰ反転要素群を有し、ＩＰ要素とＩＰ反転要素とは、第一の方向に重ならないように交互に配置され、正反射光下で観察した場合には、第一の基画像または第二の基画像が出現し、観察角度を連続的に変化させると第一の基画像または第二の基画像が連続的に動いて視認される中で、第一の基画像または第二の基画像のどちらかが一方の端点に達すると、第二の基画像または第一の基画像が他方の端点に向かうことを特徴とする。
【００１３】
本発明の潜像印刷物は、第一の基画像と第二の基画像が、同じ画像であることを特徴とする。
【００１４】
本発明の潜像印刷物は、潜像要素群を、さらに第一の基画像ａとして第一の方向とは異なる第二の方向に分割した画像を所定の縮率で圧縮した複数のＩＰ要素ａを、第二の方向に所定のピッチで複数配列したＩＰ要素群ａと、第二の基画像ａとして第二の方向に分割した画像を所定の縮率で圧縮し第二の方向にミラー反転した複数のＩＰ反転要素ａが、第二の方向に所定のピッチで複数配列したＩＰ反転要素群ａを有し、ＩＰ要素ａとＩＰ反転要素ａとが、第二の方向に重ならないように交互に配置された潜像要素群ａとして、第二の方向に所定のピッチで複数配列した蒲鉾形状要素群に積層されることを特徴とする。
【発明の効果】
【００１５】
本発明の潜像印刷物では基画像が動きの一方の端点に達した場合、従来の技術のようにジャンプ現象を生じることなく、もう一方の端点へ向かう逆方向の動きに変化するため、切れ目がなくスムーズな動きとなり、ジャンプが生じていた従来技術と比較して動画効果を認識しやすい。
【００１６】
ジャンプ現象の発生を避けるために、蒲鉾形状画線群と潜像要素群とを一対に重なるように刷り合わせを制御する必要がなくなった。これによって、製造難度が大きく低下し、より製造しやすくなった。
【００１７】
本発明の潜像印刷物はホログラムのように専用の作製装置や機械は必要とせず、一般的な機能性材料と、既存の印刷機を用いることで作製可能であり、また、特に高い刷り合わせ精度も要求しないことから生産が容易であり、コストパフォーマンスが高い。
【図面の簡単な説明】
【００１８】
【図１】（ａ）は本発明における潜像印刷物の一例の正面図を示し、（ｂ）は側面図を示す。
【図２】本発明における潜像印刷物の構成の概要を示す。
【図３】本発明における蒲鉾形状要素群を示す。
【図４】本発明における潜像要素群を示す。
【図５】本発明におけるＩＰ要素群を示す。
【図６】本発明におけるＩＰ反転要素群を示す。
【図７】本発明におけるＩＰ要素群の作製方法を示す。
【図８】本発明におけるＩＰ反転要素群の作製方法を示す。
【図９】本発明における蒲鉾形状要素群と潜像要素群の重ね合わせの位置関係の一例を示す。
【図１０】図９の潜像印刷物において傾きを変えて観察した場合の効果を示す。
【図１１】本発明における蒲鉾形状要素群と潜像要素群の重ね合わせの位置関係の一例を示す。
【図１２】図１１の潜像印刷物において傾きを変えて観察した場合の効果を示す。
【図１３】本発明の潜像印刷物の各要素が画素形態の場合の構成の概要を示す。
【図１４】本発明の潜像印刷物の各要素が画素形態の場合の蒲鉾形状要素群の構成を示す。
【図１５】本発明の潜像印刷物の各要素が画素形態の場合の潜像要素群の構成を示す。
【図１６】本発明の潜像印刷物の各要素が画素形態の場合の潜像要素群の作製方法を示す。
【図１７】（ａ）は本発明における潜像印刷物の一例の正面図を示し（ｂ）は側面図を示す。
【図１８】本発明における潜像印刷物の構成の概要を示す。
【図１９】本発明における蒲鉾形状要素群を示す。
【図２０】本発明における潜像要素群を示す。
【図２１】本発明におけるＩＰ要素群を示す。
【図２２】本発明におけるＩＰ反転要素群を示す。
【図２３】本発明における蒲鉾形状要素群と潜像要素群の重ね合わせの位置関係の一例を示す。
【図２４】図２３の潜像印刷物において傾きを変えて観察した場合の効果を示す。
【図２５】本発明における蒲鉾形状要素群と潜像要素群の重ね合わせの位置関係の一例を示す。
【図２６】図２３の潜像印刷物において傾きを変えて観察した場合の効果を示す。
【図２７】（ａ）は実施例における潜像印刷物の一例の正面図を示し、（ｂ）は側面図を示す。
【図２８】実施例における潜像印刷物の構成の概要を示す。
【図２９】実施例における蒲鉾形状要素群を示す。
【図３０】実施例における潜像要素群を示す。
【図３１】実施例におけるＩＰ要素群を示す。
【図３２】実施例におけるＩＰ反転要素群を示す。
【図３３】実施例における蒲鉾形状要素群と潜像要素群の重ね合わせの位置関係を示す。
【図３４】実施例における潜像印刷物において傾きを変えて観察した場合の効果を示す。
【図３５】従来の技術における適正な基画像の動きを示す。
【図３６】従来の技術における問題点を示す。
【発明を実施するための形態】
【００１９】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２０】
（第一の実施の形態）
第一の実施の形態では、潜像印刷物（１）を構成する各要素が画線形態である場合の構成について説明する。図１に、本発明における潜像印刷物（１）を示す。図１（ａ）に示すのは潜像印刷物（１）の正面図であり、図１（ｂ）に示すのは、潜像印刷物（１）のＡＡ´ラインにおける断面図である。
【００２１】
潜像印刷物（１）は、基材（２）の上に、印刷画像領域（３）が形成されて成る。基材（２）は印刷画像領域（３）が形成できれば、紙であってもプラスティックであっても、金属等であってもよく、その材質は問わない。印刷画像領域（３）は、いかなる色彩であっても良く、また透明や半透明であっても良い。また、基材（２）の大きさについても、特に制限はない。
【００２２】
本発明の印刷画像領域（３）の構成の概要を図２に示す。印刷画像領域（３）は、蒲鉾形状要素群（４）及び潜像要素群（５）から成る。積層順としては、蒲鉾形状要素群（４）の上に潜像要素群（５）が重なって成る。また、潜像要素群（５）はＩＰ要素群（５Ａ）とＩＰ反転要素群（５Ｂ）を有する。
【００２３】
まず、蒲鉾形状要素群（４）について具体的に説明する。図３に示すのは蒲鉾形状要素群（４）であり、盛り上がりを有する、特定の画線幅（Ｗ１）の蒲鉾形状要素（６）が第一の方向（図中Ｓ１方向）に第一のピッチ（Ｐ１）で万線状に配置されることで形成されて成る。
【００２４】
図３において蒲鉾形状要素（６）の中に縦縞の線が複数配列されているように示されているが、これは他の線と区別するためのパターンであり、実際には単純な一本の線である（以下、他の画線も同様。）拡散反射光下において、蒲鉾形状要素（６）の色彩は問わず、いかなる色彩であってもよく、透明であっても半透明であってもよい。
【００２５】
また、蒲鉾形状要素（６）は、明暗フリップフロップ性及び／又はカラーフリップフロップ性を有し、正反射光下では強い反射光を発する特性を有する必要がある。本発明における「明暗フリップフロップ性」とは、物質に光が入射した場合に、物質の明度が変化する性質を指し、「カラーフリップフロップ性」とは、物質に光が入射した場合に、物質の色相が変わる性質を指す。明暗フリップフロップ性を備えた、印刷で用いるインキとしては、金色や銀色等のメタリック系の金属インキや、グロスタイプの着色インキ及び透明インキ等がある。一般的に艶があると感じられる物質は、明暗フリップフロップ性を備える。例えば、銀インキは、光を強く反射しない拡散反射光下では暗い灰色にしか見えないが、光を強く反射する正反射光下では、より淡い灰色か、あるいは白色に見える。このように、「明暗フリップフロップ性」を有するインキは、正反射光下で明度が変化する。
【００２６】
一方のカラーフリップフロップ性を備えた印刷で用いるインキとしては、パールインキや液晶インキ、ＯＶＩ、ＣＳＩ（Ｃｏｌｏｒ  ＳＨＩｆｔＩｎｇ  Ｉｎｋ）等が存在する。多くのインキは物体色を有するが、虹彩色パールインキは無色透明である。例えば、赤色の虹彩色パールインキは、拡散反射光下では無色透明だが、正反射光下では赤色の干渉色を発する。このように、「カラーフリップフロップ性」を備えたインキは、正反射光下で色相が変化する。蒲鉾形状要素（６）は、以上のような光学特性を備える必要がある。
【００２７】
それぞれの蒲鉾形状要素（６）には一定の盛り上がり高さが必要であり、少なくとも３μｍ以上の盛り上がり高さを有することが好ましい。３μｍより低い高さで形成した場合でも、要素のピッチを狭く形成することで本発明の効果を再現することは可能であるものの、潜像画像の視認性が極端に低くなったり、前述のように出現する基画像が不鮮明にぼやけて再生されたりする場合が多いため好ましい形態とはいえない。また、盛り上がりの高さの上限に関しては性能上の上限は存在しないが、大量に積載した場合の安定性や耐摩擦性、流通適正等を考慮し１ｍｍ以下とする。
【００２８】
本発明における蒲鉾形状要素群（４）は、構成する蒲鉾形状要素（６）に一定の盛り上がり高さが必須であることから、印刷画線に盛り上がりを形成可能な印刷方式で印刷することが望ましい。すなわち、フレキソ印刷やグラビア印刷、凹版印刷やスクリ−ン印刷等で形成してもよい。また、実施の形態のように、印刷で直接画線の盛り上がりを形成するのではなく、エンボス加工や透き入れによって基材上に凹凸構造を形成して、その上に印刷被膜を形成したり、フィルムを貼付したりして蒲鉾形状要素群（４）としてもよい。
【００２９】
また、蒲鉾形状要素（６）に高いカラーフリップフロップ性を付与したい場合には、蒲鉾形状要素（６）の画線の表面にカラーフリップフロップ性を有する顔料が揃って配向していることが望ましい。このような状態は一般にリーフィングと呼ばれ、優れたリーフィング効果を得る方法としては、例えば特開２００１−１０６９３７号公報に記載の技術のように顔料に撥水及び撥油性を付与する方法がある。この方法を用いた場合には、蒲鉾形状要素（６）が正反射光下で発する反射光の色彩をより豊かにすることができるため望ましい。前述のようなリーフィング効果を有する機能性顔料と着色顔料を単一のインキ中に配合した場合、単一のインキで印刷したにも関わらず、リーフィング効果を有する機能性顔料と着色顔料が蒲鉾形状要素（６）の上層と下層に別々の層構造を形成するため、あたかも着色インキ層と機能性顔料層を別々のインキで印刷した場合と同等の、極めて高いカラーフリップフロップ性を発揮するため特に有効である。また、一定の盛り上がり高さがある蒲鉾形状要素（６）の表面形状は、蒲鉾のようになだらかな曲面で構成されている必要がある。
【００３０】
次に、潜像要素群（５）について具体的に説明する。図４に示すのは潜像要素群（５）であり、潜像要素群（５）は、図５に示すＩＰ要素群（５Ａ）と、図６に示すＩＰ反転要素群（５Ｂ）とを有する。ＩＰ要素群（５Ａ）はＩＰ要素（７Ａ）の集合から成り、ＩＰ反転要素群（５Ｂ）はＩＰ反転要素（７Ｂ）の集合から成る。潜像要素群（５）において、ＩＰ要素（７Ａ）とＩＰ反転要素（７Ｂ）とはそれぞれが重なり合わないように第一の方向（Ｓ１方向）に位相をずらして交互に配置されて成る。潜像要素群（５）を構成するすべての要素には、盛り上がり高さは特に必要ない。また、ＩＰ要素（７Ａ）とＩＰ反転要素（７Ｂ）との配置関係については、重なり合わなければ隣接していても近接していてもよいが、潜像画像として出現させようと製作者が意図する画像が切れ目なく、よりスムーズな動きとなるのは隣接の配置関係である。
【００３１】
潜像要素群（５）を構成する二つの要素群の一つであるＩＰ要素群（５Ａ）を図５に示す。図５に示すＩＰ要素群（５Ａ）は、特定の画線幅（Ｗ２）を有し、それぞれ形状の異なる複数のＩＰ要素（７Ａ）が特定のピッチ（Ｐ１）で第一の方向（Ｓ１方向）に万線状に配されて成る。
【００３２】
潜像要素群（５）を構成する二つの要素群のもう一つの要素群であるＩＰ反転要素群（５Ｂ）を図６に示す。図６に示すＩＰ反転要素群（５Ｂ）は、特定の画線幅（Ｗ３）を有し、それぞれ形状の異なる複数のＩＰ反転要素（７Ｂ）が特定のピッチＰ１で第一の方向（Ｓ１方向）に万線状に配されて成る。
【００３３】
二つの要素群のピッチ（Ｐ１）及び第一の方向（Ｓ１方向）は同じである必要があるが、それぞれの要素の画線幅（Ｗ２、Ｗ３）は同じでも異なっていても良い。ただし、二つの要素の画線幅（Ｗ２とＷ３）の和がピッチＰ１の大きさを越えてはならない。また、図４、図５、図６のＩＰ要素（７Ａ）及びＩＰ反転要素（７Ｂ）は異なる色彩で示しているが、説明を明瞭にするためであり、同じ色彩であっても良く、またそれぞれの要素で異なる色彩を用いても良い。なお、ＩＰ要素（７Ａ）や後記するＩＰ反転要素（７Ｂ）とは、塗りつぶした画像のみをさすのではなく、画像が存在しない空白も含んだ一定の大きさの領域全体を指す。
【００３４】
まず、ＩＰ要素群（５Ａ）の具体的な構成と作製方法について図７を用いて説明する。図７に示すのは、正反射光下で動画効果を有する潜像画像として出現させようと製作者が意図する画像であり、本明細書中ではこれを基画像（８）と呼ぶ。また、ＩＰ要素群（５Ａ）の基と成る基画像（８Ａ）を第一の基画像と呼ぶ。この基画像（８）は文字や数値、記号、マーク、図形等であってもよく、何らかの任意の情報を表せば良い。第一の実施の形態における基画像（８）は、桜の花びらの画像である。また、本例では基画像（８）として階調表現の乏しい二値画像を用いたが、写真や顔画像のような階調画像を用いても良い。この桜の花びらの画像である第一の基画像（８Ａ）を以下の手順でＩＰ要素（７Ａ）化する。なお、ＩＰ要素（７Ａ）のＩＰとは、Ｉｎｔｅｇｒａｌ  Ｐｈｏｔｏｇｒａｐｈｙの略であり、古典的な立体画像の形成方法の略である。本技術の動く画像を構成する要素群の基本的な構造がこの古典的な立体画像の形成方法から得られる画線構造に似ているため、この呼称を用いている。
【００３５】
第一の基画像（８Ａ）を選定したら、第一の基画像（８Ａ）の第一の方向（Ｓ１方向）の幅よりも短い幅（Ｗ４）、第一の方向（Ｓ１方向）と直交する第二の方向（Ｓ２方向）の第一の基画像（８Ａ）の高さよりも長い高さ（Ｈ）の大きさのフレーム（９Ａ）を第一の基画像（８Ａ）に対して当てはめ、フレーム（９Ａ）内に含まれた第一の基画像（８Ａ）のみを取り出して、取り出した画像を第一の方向（Ｓ１方向）に対して特定の画線幅（Ｗ２）に圧縮する。この一連の手順によって一つのＩＰ要素（７Ａｉ）が完成する。Ｗ２をＷ４で割った値を圧縮率と呼ぶ。この圧縮率が小さければ小さいほど動く画像として出現する第一の基画像（８Ａ）の動きの大きさと速さ、遠近感等は大きくなる一方、出現する画像は輪郭がぼやけて不鮮明になる。
【００３６】
一つのＩＰ画線（７Ａｉ）が完成したら、続いて、第一の基画像（８Ａ）に対するフレーム（９Ａ）の位置を第一の方向（Ｓ１方向）に特定のピッチ（Ｐ１）だけずらして、再びフレーム（９Ａ）内に含まれた第一の基画像（８Ａ）のみを取りだして、特定の画線幅（Ｗ２）に圧縮する。出来上がったＩＰ要素（７Ａｉ＋１）は、先のＩＰ要素（７Ａｉ）から第一の方向（Ｓ１方向）に特定のピッチ（Ｐ１）だけ平行移動させた位置に配置する。この作業をフレーム（９Ａ）内に第一の基画像（８Ａ）が含まれない位置に達するまで繰り返すことによって、ＩＰ要素群（５Ａ）が完成する。以上のようにそれぞれのＩＰ要素（７Ａ）は、第一の基画像（８Ａ）に対してフレーム（９Ａ）を当てはめる位置を変えながら構成して成るため、それぞれ隣り合うＩＰ要素（７Ａ）同士でも含まれる画像はわずかずつ異なっている。
【００３７】
このＩＰ要素群（５Ａ）は、第一の基画像（８Ａ）に対してＰ１ずつ位相をずらしながら切り出して圧縮して作成した各ＩＰ要素（７Ａ）をピッチＰ１で連続して配置して構成した画像であることから、Ｐ１のピッチを有し、ピッチＰ１より充分狭い開口幅を有したスリットによって画像をサンプリングした場合には、第一の基画像（８Ａ）が再生されるという特徴がある。本発明の潜像印刷物（１）では、このＩＰ要素群（５Ａ）の特徴を利用して正反射光下で特定の画像を出現させ、かつ、動画効果を生じさせるものである。
【００３８】
続いて、ＩＰ要素群（５Ａ）と対を成すＩＰ反転要素群（５Ｂ）の具体的な構成と作製方法の一例について図８を用いて説明する。図８に示すのは、もう一つの基画像である第二の基画像（８Ｂ）である。第二の基画像（８Ｂ）も第一の基画像（８Ａ）と同じく文字や数値、記号、マーク、図形等であってもよく、何らかの任意の情報を表せば良い。第二の基画像（８Ｂ）も第一の基画像（８Ａ）と同じく、桜の花びらの画像である。第一の実施の形態において第一の基画像（８Ａ）と第二の基画像（８Ｂ）は同じ画像を用いたが、それぞれの画像は同じでも異なっていても良い。
【００３９】
第二の基画像（８Ｂ）を選定したら、第二の基画像（８Ｂ）の第一の方向（Ｓ１方向）の幅よりも短い幅（Ｗ５）、第一の方向と直交する第二の方向（Ｓ２方向）の第二の基画像（８Ｂ）の高さよりも長い高さ（Ｈ）の大きさのフレーム（９Ｂ）を第一の基画像（８）に対して当てはめ、フレーム（９Ｂ）内に含まれた第二の基画像（８Ｂ）のみを取り出して、第一の方向（Ｓ１方向）に対して特定の画線幅（Ｗ３）に圧縮する。ここまでの手順はＩＰ要素（７Ａ）の作製手順と同じであるが、ＩＰ反転要素（７Ｂ）の作製においてはこの状態の要素をさらに第一の方向（Ｓ１方向）と直交する第二の方向（Ｓ２）を軸としてミラー反転する。このミラー反転の有無でＩＰ反転要素（７Ｂ）となるか、ＩＰ要素（７Ａ）となるかが決まる。この一連の手順によって一つのＩＰ反転要素（７Ｂｉ）が完成する。Ｗ３をＷ５で割った値を圧縮率と呼ぶ。この圧縮率が小さければ小さいほど動く画像として出現する第二の基画像（８）の動きの大きさと速さ、遠近感等は大きくなる一方、出現する画像は輪郭がぼやけて不鮮明になることはＩＰ要素（７Ａ）と同じである。
【００４０】
一つのＩＰ反転要素（７Ｂｉ）が完成したら、続いて、第二の基画像（８Ｂ）に対するフレーム（９Ｂ）の位置を第一の方向（Ｓ１方向）に特定のピッチ（Ｐ１）だけずらして、再びフレーム（９Ｂ）内に含まれた第二の基画像（８Ｂ）のみを取りだして、特定の画線幅（Ｗ３）に圧縮する。新たに出来上がったＩＰ反転要素（７Ｂｉ+１）は、先のＩＰ反転要素（７Ｂｉ）から第一の方向（Ｓ１方向）に特定のピッチ（Ｐ１）だけ平行移動させた位置に配置する。この作業をフレーム（９Ｂ）内に第二の基画像（８Ｂ）が含まれない位置に達するまで続けることによって、ＩＰ反転要素群（５Ｂ）が完成する。ＩＰ要素（７Ａ）と同様にそれぞれの隣り合うＩＰ反転要素（７Ｂ）でも含まれる画像はわずかずつ異なっている。
【００４１】
第一の実施の形態の例のように第一の基画像（８Ａ）と第二の基画像（８Ｂ）が同じ画像である場合、隣り合って一対で向かい合うＩＰ要素（７Ａ）とＩＰ反転要素（７Ｂ）同士が、互いの画像を第一の方向（Ｓ１）と直交する方向を軸としてミラー反転させた画像と同じか、同じに近い、略等しい画像となる。第一の基画像（８Ａ）と第二の基画像（８Ｂ）が同じ画像である場合、隣り合って一対で向かい合うＩＰ要素（７Ａ）とＩＰ反転要素（７Ｂ）がミラー反転させた関係の画像と大きく異なると、それぞれの動きの端点においてスムーズで連続的な動きが途切れる問題が生じるため避けなければならない。
【００４２】
一方、第一の基画像（８Ａ）と第二の基画像（８Ｂ）が異なる画像である場合には、ＩＰ要素群（５Ａ）とＩＰ反転要素群（５Ｂ）のそれぞれの画像の中心が略一致するように位相を合わせて潜像要素群（５）とすることで、それぞれの動きの端点において連続的な動きが途切れる問題が生じることを回避することができる。第一の基画像（８Ａ）と第二の基画像（８Ｂ）が同じ画像である場合においても、ＩＰ要素群（５Ａ）とＩＰ反転要素群（５Ｂ）のそれぞれの画像の中心が略一致するように位相を合わせて潜像要素群（５）とすることで、よりスムーズで連続的な動きとなることはいうまでもない。
【００４３】
また、本明細書中では潜像要素群（５）が第一の基画像（８Ａ）と第二の基画像（８Ｂ）の二つの基画像から成る二つのＩＰ要素群（５Ａ）及びＩＰ反転要素群（５Ｂ）によって構成された例を用いているが、基画像（８）の数はこれに限定されるものではなく、これ以上の数の異なる基画像（８）から成っても良い。潜像要素群（５）がＩＰ要素群（５Ａ）及びＩＰ反転要素群（５Ｂ）の構成に用いる基画像（８）の数には特に制限はない。
【００４４】
なお、このＩＰ要素群（５Ａ）及びＩＰ反転要素群（５Ｂ）の作製方法とその構成、また圧縮率を変化させることで生じる効果等は、特開２０１１−１２６０２８号公報に記載のとおりであり、特開２０１１−１２６０２８号公報記載の様々な構成を応用してもよい。
【００４５】
なお、ＩＰ要素（７Ａ）の画線幅（Ｗ２）と、ＩＰ反転要素（７Ｂ）の画線幅（Ｗ３）のそれぞれの大きさは、蒲鉾形状要素（６）と蒲鉾形状要素（６）の間に存在する非画線の幅（Ｐ１−Ｗ１）よりも大きいことが望ましい。これは、蒲鉾形状要素（６）と蒲鉾形状要素（６）の間に存在する非画線の中にＩＰ要素（７Ａ）やＩＰ反転要素（７Ｂ）が完全に入り、蒲鉾形状要素（６）の上に重ならなかった場合、それらの画線は潜像画像として正反射光下で出現することができないためである。
【００４６】
以上のような構成のＩＰ要素群（５Ａ）やＩＰ反転要素群（５Ｂ）を有する潜像要素群（５）は、正反射光下で蒲鉾形状要素（６）が発する色彩と異なる色彩である必要がある。この特性は、正反射光下で潜像画像を一定のコントラストで可視化させるために必要となる特性である。また、拡散反射光下で潜像要素群（５）は不可視であることが好ましいため、透明や半透明であるか、あるいは淡い色彩であることが望ましい。本明細書でいう半透明とは完全な透明ではないが、下地を完全に隠蔽しない程度の透過性を有する状態を指す。
【００４７】
また、潜像要素群（５）は、正反射光下において潜像要素群（５）の下に存在する蒲鉾形状要素群（４）に光が入射するのを防ぎ、結果として印刷画像領域（３）内に反射光の強弱を作り出して基画像（８）を出現させる働きを成すために、低光沢（マット）であったり、光遮断性に優れたりする特性を有することが望ましい。なお、潜像要素群（５）には、蒲鉾形状要素（６）のような明暗フリップフロップ性やカラーフリップフロップ性は必須ではないが、これらの性質を備えていても問題ない。
【００４８】
潜像要素群（５）は、特に盛り上がりは必須ではなく平坦な構造でよいが、盛り上がりを有していても良い。すなわち、オフセット印刷や凸版印刷、フレキソ印刷、グラビア印刷、凹版印刷やスクリ−ン印刷等で形成してもよく、インクジェットプリンタやレーザープリンタ等で形成しても問題ない。
【００４９】
以上のような構成の蒲鉾形状要素群（４）の上に、潜像要素群（５）を重ね合わせて、本発明の潜像印刷物（１）を形成する。潜像印刷物（１）において、蒲鉾形状要素群（４）と潜像要素群（５）の重ね合わせの位置関係が変化することで、出現する基画像（８）の出現位置と動き方向が変化する。まず、蒲鉾形状要素群（４）と潜像要素群（５）の重ね合わせの位置関係の一例と、その場合の効果及びその効果が生じる原理について説明する。図９に示すのは、蒲鉾形状要素群（４）と潜像要素群（５）が任意の位置関係で重なり合った図である。図９に示すように、一つの蒲鉾形状要素（６）の左斜面（Ａ辺側斜面）にＩＰ要素（７Ａ）が重なり、右斜面（Ａ´辺側斜面）にＩＰ反転要素（７Ｂ）が重なった位置関係にある潜像印刷物（１）である。
【００５０】
図９の位置関係で二つの要素群が重なった場合の効果について図１０に示す。拡散反射光下において、印刷画像領域（３）中にはいずれの基画像（８Ａ,８Ｂ）も出現せず、潜像要素群（５）も不可視である（図示せず）。一方、正反射光下において図１０(ａ)のようにＡ辺側が光源（１０）に向けて上がって傾いた状態で観察した場合、第一の基画像（８Ａ）である桜の花びらの画像がＡ´辺側に出現する。
【００５１】
次に、正反射光下において図１０（ａ）の状態から図１０(ｂ)の状態まで潜像印刷物（１）を徐々に傾けた場合、第一の基画像（８Ａ）がＡ´辺側からＡ辺側へと徐々に移動する動画効果が生じる。図１０（ｂ）の状態で観察した場合、第一の基画像（８Ａ）がＡ辺側端点に出現する。あるいは図１０（ｂ）の状態で観察した場合、第二の基画像（８Ｂ）がＡ辺側端点に出現する。これは、図１０（ｂ）の状態において、サンプリングされる要素がＩＰ要素（７Ａ）からＩＰ反転要素（７Ｂ）へと変わった場合、第一の基画像（８Ａ）から第二の基画像（８Ｂ）への画像のチェンジが生じるためである。
【００５２】
続いて、正反射光下において図１０（ｂ）の状態から図１０(ｃ)の状態まで潜像印刷物（１）を徐々に傾けた場合、Ａ辺側端点にあった第二の基画像（８Ｂ）は逆方向のＡ´辺側へと移動する。以上のように、図９の状態で構成された本発明の潜像印刷物（１）を正反射光下で傾けて観察した場合、第一の基画像（８Ａ）がＡ´辺側に出現してＡ辺側端点まで動き、Ａ辺側端点に達したのちにＡ´辺側へと動き方向を変えるスムーズな動画効果が生じる。
【００５３】
なお、本明細書中で言う正反射とは、物質にある入射角度で光が入射した場合に、入射した光の角度と略等しい角度に強い反射光が生じる現象を指し、拡散反射とは、物質にある入射角度で光が入射した場合に、入射した光の角度と異なる角度に弱い反射光が生じる現象を指す。例えば、虹彩色パールインキを例とすると、拡散反射の状態では無色透明に見えるが、正反射した状態では特定の干渉色を発する。また、正反射光下で観察するとは、印刷物に入射した光の角度と略等しい反射角度に視点をおいて観察する状態を指し、拡散反射光下で観察するとは、印刷物に入射した光の角度と大きく異なる角度で観察する状態をさす。
【００５４】
以上の効果が生じる原理について説明する。まず、拡散反射光下では蒲鉾形状要素群（４）及び潜像要素群（５）に直接入射する光が存在せず、強い正反射光を発することがないことから、蒲鉾形状要素群（４）と潜像要素群（５）間に色差が生じることがない。そのため拡散反射光下では潜像要素群（５）は完全に不可視か、ほぼ不可視である。
【００５５】
一方、正反射光下においては蒲鉾形状要素群（４）の有する光学特性である明暗フリップフロップ性あるいはカラーフリップフロップ性によって色彩が大きく変化するために、潜像要素群（５）との間に大きな色差が生じ、潜像要素群（５）が可視化される。ただし、蒲鉾形状要素（６）は盛り上がりを有しているため、蒲鉾形状要素群（５）全体が一斉に光を反射することはなく、潜像要素群（５）全体が一度に可視化されることはない。正反射光下においては、蒲鉾形状要素（６）の画線表面のうち、入射した光と直交する画線表面だけが強く光を反射し、その領域だけ蒲鉾形状要素群（４）と潜像要素群（５）間に大きな色差が生じる。結果として入射した光と直交した蒲鉾形状要素群（４）の画線表面の上に重ねられた潜像要素群（５）の画像情報のみがサンプリングされ、可視化されることとなる。
【００５６】
以上のことから、正反射光下において図１０(ａ)のように潜像印刷物（１）のＡ辺側が光源（１０）に近づいて傾いた状態で観察した場合、入射光と直交する角度を成す画線表面となる蒲鉾形状要素（６）のＡ辺側の画線表面が強く光を正反射し、その上に存在する潜像要素群（５）の画像情報のみがサンプリングされて可視化される。この例において、蒲鉾形状要素（６）の上のＡ辺側の画線表面に重なっているのはＩＰ要素（７Ａ）であるため、ＩＰ要素群（５Ａ）がサンプリングされる。ここで、蒲鉾形状要素（６）はピッチＰ１で連続して配されて成るため、ＩＰ要素群（５Ａ）は、ピッチＰ１でサンプリングされることとなる。ＩＰ要素群（５Ａ）とは、各ＩＰ要素（７Ａ）をピッチＰ１で連続して配置して構成した画像であって、各ＩＰ要素（７Ａ）とは第一の基画像（８Ａ）に対してＰ１ずつ位相をずらしながら切り出した画像を圧縮して構成した画像であることから、ＩＰ要素群（５Ａ）をＰ１のピッチでサンプリングした場合には、第一の基画像（８Ａ）が再生されることとなる。これが、正反射光下の図１０（ａ）の観察角度で第一の基画像（８Ａ）が出現した原理である。
【００５７】
次に、正反射光下において図１０（ａ）の状態から図１０(ｂ)の状態まで潜像印刷物（１）を徐々に傾けた場合、光源（１０）から入射する光と潜像印刷物（１）との角度の関係が変化することからＩＰ要素群（５Ａ）の情報がＡ辺側から蒲鉾形状要素（６）の頂点へ向かってサンプリングされる。ＩＰ要素群（５Ａ）のそれぞれのＩＰ要素（７Ａ）のＡ辺側にある画像情報とは、第一の基画像（８Ａ）がＡ´辺側の端点に存在する画像情報であり、頂点に存在する画像情報は、第一の基画像（８Ａ）がＡ辺側の端点に存在する画像情報であり、その中間にはＡ´辺からＡ辺までの間に存在する第一の基画像（８Ａ）の画像情報によって構成されている。このため、正反射光下で潜像印刷物（１）の傾きを図１０（ａ）の状態から図１０(ｂ)の状態まで変化させた場合、ＩＰ要素群（５Ａ）の情報がＡ辺側から頂点側へ向かってサンプリングされることで、第一の基画像（８Ａ）がＡ´辺側の端点からＡ辺側の端点へと徐々に移動する動画効果が生じる。次に図１０（ｂ）の状態で観察した場合、蒲鉾形状要素（６）の上の盛り上がり部分の頂点に存在する潜像要素群（５）の情報が再生される。蒲鉾形状要素（６）の上の盛り上がり部分の頂点に存在する潜像要素群（５）には、ＩＰ要素群（５Ａ）とＩＰ反転要素群（５Ｂ）が存在しているが、それぞれの要素群が表す情報は同じである。すなわち、蒲鉾形状要素（６）の上の盛り上がり部分の頂点に存在するＩＰ要素群（５Ａ）とＩＰ反転要素群（５Ｂ）の画像情報は、いずれも第一の基画像（８Ａ）あるいは第二の基画像（８Ｂ）がＡ辺側の端部に存在する情報であるため、第一の基画像（８Ａ）あるいは第二の基画像（８Ｂ）がＡ辺側端部に出現する。
【００５８】
次に、正反射光下において図１０（ｂ）の状態から図１０(ｃ)の状態まで潜像印刷物（１）を徐々に傾けた場合、ＩＰ要素群（５Ａ）に変わってＩＰ反転要素群（５Ｂ）の情報が蒲鉾形状要素（６）の頂点からＡ´辺側へ向かってサンプリングされる。ＩＰ反転要素群（５Ｂ）のそれぞれのＩＰ反転要素（７Ｂ）において頂点近辺にある画像情報とは、第二の基画像（８Ｂ）がＡ辺側の端点に存在する画像情報であり、Ａ´辺側に存在する画像情報は第二の基画像（８Ｂ）がＡ´辺側の端点に存在する画像情報であり、その中間にはＡ辺側の端点からＡ´辺側の端点までの間に存在する第二の基画像（８Ｂ）の画像情報によって構成されている。このため、正反射光下で潜像印刷物（１）の傾きを図１０（ｂ）の状態から図１０(ｃ)の状態まで変化させた場合、ＩＰ反転要素群（５Ｂ）の情報が頂点からＡ´辺側へ向かってサンプリングされることで、第二の基画像（８Ｂ）がＡ辺側からＡ´辺側へと徐々に移動する動画効果が生じる。
【００５９】
以上が、正反射光下のある特定の観察角度において基画像（８）が出現し、観察角度を変えることで基画像（８）の動きの方向が変化する原理である。以上の原理によって、基画像（８）がそれぞれの動きの端点に達した場合でも「ジャンプ」現象を生じたり、基画像（８）が消失したりすることがなく、スムーズで連続した動きの中で動きの方向のみが反転するものである。
【００６０】
続いて、図９に示した蒲鉾形状要素（６）とＩＰ要素（７Ａ）及びＩＰ反転要素（７Ｂ）との刷り合わせ位置からズレが生じた場合の効果について説明する。図１１に示すのは、図９に示した蒲鉾形状要素（６）とＩＰ要素（７Ａ）及びＩＰ反転要素（７Ｂ）との刷り合わせ位置から、第一の方向（Ｓ１方向）に約半ピッチ（Ｐ１／２）だけ刷り合わせにズレが生じた図である。
【００６１】
図１１に示す重ね合わせの位置関係で蒲鉾形状要素（６）とＩＰ要素（７Ａ）及びＩＰ反転要素（７Ｂ）を積層した場合に、本発明の潜像印刷物（１）において生じる効果について図１２を用いて説明する。拡散反射光下において、印刷画像領域（３）中にはいずれの基画像（８Ａ、８Ｂ）も出現せず、完全に不可視である（図示せず）。一方、正反射光下において図１２(ａ)のようにＡ辺側が光源（１０）に向けて上がって傾いた状態で観察した場合、第二の基画像（８Ｂ）である桜の花びらの画像がＡ辺側に出現する。
【００６２】
次に、正反射光下において図１２（ａ）の状態から図１２(ｂ)の状態まで潜像印刷物（１）を徐々に傾けた場合、第二の基画像（８Ｂ）がＡ辺側からＡ´辺側へと徐々に移動する動画効果が生じる。図１２（ｂ）の状態で観察した場合、第二の基画像（８Ｂ）あるいは第一の基画像（８Ａ）がＡ´辺側端部に達する。
【００６３】
続いて、正反射光下において図１２（ｂ）の状態から図１２(ｃ)の状態まで潜像印刷物（１）を徐々に傾けた場合、Ａ´辺側端点に達していた第一の基画像（８Ａ）は逆方向のＡ辺側へと移動する。以上のように、図１１の状態で構成された本発明の潜像印刷物（１）を正反射光下で傾けて観察した場合、第二の基画像（８Ｂ）がＡ辺側端点に出現してＡ´辺側端点まで動き、Ａ´辺側端点に達したのちにＡ辺側へと動き方向を変えるスムーズな動画効果が生じる。以上のように、図９に示した刷り合わせの状態から約半ピッチ刷り合わせの位相がずれた場合でも、動きの方向が逆転するのみであって「ジャンプ」現象は生じない。
【００６４】
以上のように、本発明の潜像印刷物（１）においては、蒲鉾形状要素（６）とＩＰ要素（７Ａ）及びＩＰ反転要素（７Ｂ）の刷り合わせの位置関係に関係なく、出現した画像が動きの端点に達した場合には逆方向に動きの方向を変える効果が生じる。この効果によって、従来の技術のように「ジャンプ」現象の発生を避けるために、蒲鉾形状要素群（４）と潜像要素群（５）とを正確に刷り合わせる必要がなくなり、製造難度を大きく低下させる効果を得ることができる。
【００６５】
第一の実施の形態においてＩＰ要素群（５Ａ）の第一の基画像（８Ａ）とＩＰ反転要素群（５Ｂ）の第二の基画像（８Ｂ）が同じ画像である例で説明したが、第一の基画像（８Ａ）と第二の基画像（８Ｂ）が異なる画像であってもよい。この例については第二の実施の形態で説明する。ＩＰ要素群（５Ａ）やＩＰ反転要素群（５Ｂ）の具体的な構成については、特開２０１１−１２６０２８号公報に記載の様々な構成を用いることができる。
【００６６】
また、第一の実施の形態において、すべての蒲鉾形状要素（６）の画線幅を同じとしたが、２０％を超えない範囲で画線幅を変え、蒲鉾形状要素群（４）の中に濃淡を作り出して拡散反射光下で視認できる有意情報を表現しても良い。この有意情報は正反射光下では消失する効果を有するため、本発明の動画効果に加えて拡散反射光下と正反射光下における画像のチェンジ効果を実現することができる。
【００６７】
本明細書中でいう「端点」とは、出現した基画像（８）が、一方向に対してそれ以上動くことができない印刷領域中（３）の特定の位置を指し、第一の実施の形態のような各要素が画線形態の例ではＡ辺側とＡ´辺側にそれぞれ１点ずつ端点が存在する。画像構成の上では、蒲鉾形状要素群（４）上に重なって形成された潜像要素群（５）の第一の方向（Ｓ１方向）における両端の位置がそれぞれＡ辺側とＡ´辺側の端点となる。すなわち、出現した基画像（８）が動ける範囲（一方の端点からもう一方の端点までの距離）とは、蒲鉾形状要素群（４）上に重なって形成された潜像要素群（５）の第一の方向（Ｓ１方向）の両端の距離、すなわち蒲鉾形状要素群（４）上に重なって形成された潜像要素群（５）の幅にあたる距離となる。
【００６８】
第一の実施の形態において、蒲鉾形状要素（６）を画線形態としたが、本発明の構成はこれに限定するものではなく、画素形態として単純に上下左右に等ピッチで万線状に配置して蒲鉾形状要素群（４）としても良い。また、本発明において、「万線状に配置する」とは、複数の要素が規則的に所定のピッチで配列されている状態をいう。また、画素形態の蒲鉾形状要素（４）と潜像要素群（５）を用いて本発明の潜像印刷物（１）を形成した例を、図１３から図１６で説明する。
【００６９】
なお、本発明における画線とは、印刷画像を形成する最小単位の小さな点である網点を特定の方向に一定の距離連続して配置した点線や破線の分断線、直線、曲線及び破線等を指し、少なくとも一つの印刷網点又は印刷網点を複数集めて一塊にした円や三角形、四角形を含む多角形、星形等の各種図形、あるいは文字や記号、数字等を画素とする。
【００７０】
蒲鉾形状要素群（４´）及び潜像要素群（５´）を構成する各要素を第一の実施の形態のような画線形態ではなく、画素形態の要素で形成した潜像印刷物（１´）の構成の概要図を図１３に示す。
【００７１】
図１３の印刷画像領域（３´）は、画素形態の蒲鉾形状要素（６´）で構成された蒲鉾形状要素群（４´）の上に、画素形態のＩＰ要素群ａ（５Ａ´）及びＩＰ反転要素群ａ（５Ｂ´）で構成された潜像要素群ａ（５´）が積層されて成る。図１４に示すのは、画素形態の蒲鉾形状要素（６´）で構成された蒲鉾形状要素群（４´）の詳細であり、特定の幅（Ｗ４）と特定の高さ（Ｗ５）の円形の画素を蒲鉾形状要素（６´）が第一の方向（Ｓ１方向）に特定のピッチ（Ｐ１）で、第二の方向（Ｓ２方向）に特定のピッチ（Ｐ２）で万線状に複数配置されて成る。なお、第一の方向（Ｓ１方向）に万線状に配置するための特定のピッチ（Ｐ１）と第二の方向（Ｓ２方向）に万線状に配置するための特定のピッチ（Ｐ２）とは、同じでも異なっていてもよい。
【００７２】
図１５に潜像要素群ａ（５´）の拡大図を示す。潜像要素群ａ（５´）は、特定の幅（Ｗ６）と特定の高さ（Ｗ７）のＩＰ要素ａ（７Ａ´）を第一の方向（Ｓ１方向）に蒲鉾形状要素（６´）の配置ピッチと同じ特定のピッチ（Ｐ１）で、第二の方向（Ｓ２方向）に蒲鉾形状要素（６´）の配置ピッチと同じ特定のピッチ（Ｐ２）で万線状に複数配置されて成るＩＰ要素群ａ（５Ａ´）と、特定の幅（Ｗ６）と特定の高さ（Ｗ８）のＩＰ反転要素ａ（７Ｂ´）を第一の方向（Ｓ１方向）に蒲鉾形状要素（６´）の配置ピッチと同じ特定のピッチ（Ｐ１）で、第二の方向（Ｓ２方向）に、蒲鉾形状要素（６´）の配置ピッチと同じ特定のピッチ（Ｐ２）で万線状に複数配置されて成るＩＰ反転要素群ａ（５Ｂ´）とから成る。ＩＰ要素ａ（７Ａ´）とＩＰ反転要素ａ（７Ｂ´）は重なり合うことなく、交互に配置されて成る。各要素に画素形態を用いた場合でも、基画像（８´）を変化させる形態でなければ、上下に隣り合って一対で向かい合うＩＰ要素ａ（７Ａ´）とＩＰ反転要素ａ（７Ｂ´）同士は、互いの形状を第二の方向を軸にミラー反転させた形状に等しいか、略等しい図柄構成となる。
【００７３】
図１６に画素形態の潜像要素群ａ（５´）の作製方法の一例を示す。画素形態の潜像要素群ａ（５´）の作製の方法はいくつか存在するが、ここでは第一の実施の形態で作製した画線形態の潜像要素群（５）を利用して、画素形態の潜像要素群ａ（５´）を作製する方法を具体例として説明する。また、説明を簡潔にするために、ＩＰ要素群ａ（５Ａ´）とＩＰ反転要素群ａ（５Ｂ´）は同じ基画像（この基画像を第一の基画像ａ（８´）とする）から成る形態であって、ＩＰ要素群ａ（５Ａ´）とＩＰ反転要素群ａ（５Ｂ´）は同じ潜像要素群（５）を第一の基画像ａ（８´）として切り出し、それぞれの要素群間では切り出した画像のミラー反転の有無のみが異なる形態を例とする。このため、この例においてはＷ７とＷ８は等しくなる。まず、第一の実施の形態で説明したように、各要素が第一の方向（Ｓ１方向）に交互に配置された画線形態の潜像要素群（５）を形成する。この潜像要素群（５）の幅よりも大きな幅（Ｌ）で、特定の高さ（Ｗ９）のフレーム（９´）を潜像要素群（５）に対して当てはめ、フレーム（９´）内に含まれた潜像要素群（５）のみを取り出して、第二の方向（Ｓ２方向）に対して特定の画線幅（Ｗ７）に圧縮する。この一連の手順によって一つのＩＰ要素ａ（７Ａｉ´）が完成する。Ｗ７をＷ９で割った値を第二の方向の圧縮率と呼ぶ。
【００７４】
一つのＩＰ画線ａ（７Ａｉ´）が完成したら、続いて、潜像要素群（５）に対するフレーム（９´）の位置を第二の方向（Ｓ２方向）に特定のピッチ（Ｐ２）だけずらして、再びフレーム（９´）内に含まれた潜像要素群（５）のみを取りだして、特定の画線幅（Ｗ７）に圧縮する。出来上がったＩＰ要素ａ（７Ａｉ+１´）は、先のＩＰ要素ａ（７Ａｉ´）から第二の方向（Ｓ二方向）に特定のピッチ（Ｐ２）だけ平行移動させた位置に配置する。この作業をフレーム（９´）内に潜像要素群（５）が含まれない位置までフレーム（９´）が達するまで第二の方向（Ｓ２方向）に移動させて繰り返し続けることによって、ＩＰ要素群ａ（５Ａ´）が完成する。以上のように、第一の方向にＩＰ要素ａを配置した画像（この例では潜像要素群（５））に対して、第一の実施の形態と異なり第二の方向にフレームの移動方向を変えてＩＰ要素ａを作製することで、画素形態のＩＰ要素ａ（７Ａ´）を作製し、それぞれのＩＰ要素ａを特定のピッチ（Ｐ２）で第二の方向に配置することによって画素形態のＩＰ要素群ａ（５Ａ´）を形成することができる。
【００７５】
また、フレーム（９´）を当てはめて作製したＩＰ要素ａ（７Ａ´）を第一の方向を軸にミラー反転させることでＩＰ反転要素ａ（７Ｂ´）を構成することができ、ＩＰ要素群ａ（５Ａ´）と同じ手法で第二の方向に特定のピッチ（Ｐ２）で連続して配置することによって、ＩＰ要素群ａ（５Ａ´）と対を成すＩＰ反転要素群ａ（５Ｂ´）を構成することができる。
【００７６】
完成したＩＰ要素群ａ（５Ａ´）とＩＰ反転要素群ａ（５Ｂ´）を第二の方向に重なり合わないよう交互に配置することによって、画素形態の潜像要素群ａ（５´）が完成する。以上の方法で作製した画素形態の潜像要素群ａ（５´）と画素形態の蒲鉾形状要素（６´）を重ね合わせることで画素形態の潜像印刷物（１´）が完成する。画素形態の潜像印刷物（１´）においては、正反射光下で潜像印刷物（１´）の傾きを変えると、第一の実施の形態の画線形態の潜像印刷物（１）と異なり、出現した基画像（９´）は印刷物の傾きの方向に応じて第一の方向だけでなく、３６０度あらゆる方向に動く効果が生じる（図示せず）。また、画素形態の潜像要素群ａ（５´）と画素形態の蒲鉾形状要素（６´）の重ね合わせの位置関係が第一の方向（Ｓ１方向）および第二の方向（Ｓ２方向）に大きくずれたとしても、従来の技術のようにジャンプが生じることなく逆方向に向きを変えて動くことから、基画像（８）の動きは必ず連続した動きとなり、観察者が違和感を覚えることなく容易に動きを認識できる。
【００７７】
前述の画素形態のＩＰ要素ａ（５Ａ´）及びＩＰ反転要素ａ（５Ｂ´）の作製にあたっては、説明を簡潔にするために、あらかじめ第一の方向（Ｓ１方向）に圧縮して作製した画線形態の潜像要素群（５）を作製し、そののちに第二の方向（Ｓ２方向）に画像を切り出す方法を例として用いたが、潜像要素群（５）をあらかじめ構成することなく、基画像（８）に対して幅（Ｗ４）高さ（Ｗ９）の画素形態のフレームを当てはめ、取り出した画像を幅（Ｗ６）高さ（Ｗ７）に圧縮することで、画素形態のＩＰ要素ａ（７Ａ´）を一つずつ形成しても何ら問題ない。
【００７８】
以上のように、潜像印刷物（１´）は画線形態のみならず、画素形態の要素によって構成することもできる。画素形態の潜像印刷物（１´）においてもＩＰ要素ａ（７Ａ´）及びＩＰ反転要素ａ（７Ｂ´）の第二の圧縮率が小さければ小さいほど動く画像として出現する基画像（８）の第二の方向（Ｓ２方向）の動きの大きさと速さ、遠近感等は大きくなる一方、出現する画像は、輪郭がぼやけて不鮮明になることは画線形態の潜像印刷物（１）と同じである。ただし、第一の方向（Ｓ１方向）に対する第一の圧縮率（Ｓ１方向に対する圧縮率）と第二の圧縮率（Ｓ２方向に対する圧縮率）の値が大きく異なる場合、出現する基画像（８）の高さと幅の比率が代わってしまうため、それぞれの圧縮率は同じか、近い値を用いることが望ましい。
【００７９】
（第二の実施の形態）
第一の実施の形態ではＩＰ要素群（５Ａ）の第一の基画像（８Ａ）と、ＩＰ反転要素群（５Ｂ）の第二の基画像（８Ｂ）は全く同じ画像を用いたが、続く第二の実施の形態では第一の基画像（８Ａ´）と第二の基画像（８Ｂ´）が異なる画像である例について説明する。
【００８０】
図１７に、本発明における潜像印刷物（１´´）を示す。図１７（ａ）に示すのは、潜像印刷物（１´´）の正面図であり、図１７（ｂ）に示すのは、潜像印刷物（１´´）のＡＡ´ラインにおける断面図である。
【００８１】
潜像印刷物（１´´）は、基材（２´´）の上に、印刷画像領域（３´´）が形成されて成る。基材（２´´）の材質や大きさ、印刷画像領域（３´´）の色彩等は第一の実施の形態と同様であり、説明を省略する。本発明の印刷画像領域（３´´）の構成の概要を図１８に示す。印刷画像領域（３´´）は、蒲鉾形状要素群（４´´）及び合成ＩＰ要素群（５´´）から成る。また、潜像要素群（５´´）はＩＰ要素群（５Ａ´´）とＩＰ反転要素群（５Ｂ´´）を有する。
【００８２】
蒲鉾形状要素群（４´´）について図１９に示すとおりであり、第一の実施の形態と同様である。盛り上がりを有する、特定の画線幅（Ｗ１）の蒲鉾形状要素（６´´）が第一の方向（図中Ｓ１方向）に第一のピッチ（Ｐ１）で万線状に配置されることで形成されて成る。拡散反射光下において、蒲鉾形状要素（６´´）の色彩や求められる光学特性、作製方法等も第一の実施の形態と同様であるから説明を省略する。
【００８３】
次に、潜像要素群（５´´）について具体的に説明する。図２０に示すのは潜像要素群（５´´）であり、潜像要素群（５´´）は、図２１に示すＩＰ要素群（５Ａ´´）と、図２２に示すＩＰ反転要素群（５Ｂ´´）とを有する。ＩＰ要素群（５Ａ´´）はＩＰ要素（７Ａ´´）の集合から成り、ＩＰ反転要素群（５Ｂ´´）はＩＰ反転要素（７Ｂ´´）の集合から成る。潜像要素群（５´´）において、ＩＰ要素（７Ａ´´）とＩＰ反転要素（７Ｂ´´）とはそれぞれが重なり合わないように第一の方向（Ｓ１方向）に位相をずらして交互に配置されて成る。潜像要素群（５´´）を構成するすべての要素には、盛り上がり高さは特に必要ない。
【００８４】
潜像要素群（５´´）を構成する二つの要素群の一つであるＩＰ要素群（５Ａ´´）は、特定の画線幅（Ｗ２）を有し、それぞれ形状の異なる複数のＩＰ要素（７Ａ´´）が特定のピッチ（Ｐ１）で第一の方向（Ｓ１方向）に万線状に配されて成る。第二の実施の形態におけるＩＰ要素（７Ａ´´）の基画像である第一の基画像（８Ａ´´）は、桜の花びらである。
【００８５】
潜像要素群（５´´）を構成するもう一つの要素群であるＩＰ反転要素群（５Ｂ´´）は、特定の画線幅（Ｗ３）を有し、それぞれ形状の異なる複数のＩＰ反転要素（７Ｂ´´）が特定のピッチ（Ｐ１）で第一の方向（Ｓ１方向）に万線状に配されて成る。第二の実施の形態におけるＩＰ反転要素（７Ｂ´´）の基画像である第二の基画像（８Ｂ´´）は、桜の蕾である。これらＩＰ要素群（５Ａ´´）及びＩＰ反転要素群（５Ｂ´´）の具体的な作製方法については第一の実施の形態と同じであることから説明を省略する。
【００８６】
以上の構成としたＩＰ要素群（５Ａ´´）及びＩＰ反転要素群（５Ｂ´´）を第一の方向（Ｓ１方向）に位相をずらしてそれぞれの要素が重なり合わないように配置して潜像要素群（５´´）を構成する。潜像要素群（５´´）に求められる画線構成や光学特性、印刷方法等は第一の実施の形態と同様であるため説明を省略する。
【００８７】
以上のような構成の潜像要素群（５´´）と蒲鉾形状要素群（４´´）を重ね合わせて、本発明の潜像印刷物（１´´）を形成する。潜像印刷物（１´´）において、蒲鉾形状要素群（４´´）と潜像要素群（５´´）の重ね合わせの位置関係が変化することで出現する基画像（８´´）自体と、出現する位置及び動き方向が変化する。まず、蒲鉾形状要素群（４´´）と潜像要素群（５´´）の重ね合わせの位置関係の一例と、その場合の効果及びその効果が生じる原理について説明する。図２３に示すのは、蒲鉾形状要素群（４´´）と潜像要素群（５´´）が任意の位置関係で重なり合った図である。図２３に示すように、一つの蒲鉾形状要素（６´´）の左斜面（Ａ辺側斜面）にＩＰ要素（７Ａ´´）が重なり、右斜面（Ａ´辺側斜面）にＩＰ反転要素（７Ｂ´´）が重なった位置関係にある潜像印刷物（１´´）である。
【００８８】
図２３の位置関係で二つの要素群が重なった場合の効果について図２４に示す。拡散反射光下において、印刷画像領域（３´´）中にはいずれの基画像（８Ａ´´、８Ｂ´´）も出現せず、潜像要素群（５´´）も不可視である（図示せず）。一方、正反射光下において図２４(ａ)のようにＡ辺側が光源（１０´´）に向けて上がって傾いた状態で観察した場合、第一の基画像（８Ａ´´）である桜の花びらの画像がＡ´辺側に出現する。
【００８９】
次に、正反射光下において図２４（ａ）の状態から図２４(ｂ)の状態まで潜像印刷物（１´´）を徐々に傾けた場合、第一の基画像（８Ａ´´）がＡ´辺側からＡ辺側へと徐々に移動する動画効果が生じる。図２４（ｂ）の状態で観察した場合、第一の基画像（８Ａ´´）がＡ辺側端部に位置する。
【００９０】
続いて、正反射光下において図２４（ｂ）の状態から図２４(ｃ)の状態まで潜像印刷物（１´´）を徐々に傾けた場合、Ａ辺側端点に達していた第一の基画像（８Ａ´´）は第二の基画像（８Ｂ´´）にチェンジし、そのまま逆方向のＡ´辺側へと移動する。以上のように、図２３の状態で構成された本発明の潜像印刷物（１´´）を正反射光下で傾けて観察した場合、第一の基画像（８Ａ´´）がＡ´辺側に出現してＡ辺側端点まで動き、Ａ辺側端点に達したのちに第二の基画像（８Ｂ´´）にチェンジし、第二の基画像（８Ｂ´´）はＡ´辺側へと動くスムーズな動画効果が生じる。
【００９１】
また、図２３の位置関係から二つの要素群の重なり合いの位相が第一の方向（Ｓ１方向）に半ピッチ（Ｐ１／２）だけズレが生じた場合、すなわち二つの要素群の重なり合いの位置関係が図２５に示す関係となった場合の効果について図２６に示す。拡散反射光下において、印刷画像領域（３´´）中にはいずれの基画像（８Ａ´´、８Ｂ´´）も出現せず、潜像要素群（５´´）も不可視である（図示せず）。一方、正反射光下において図２６(ａ)のようにＡ辺側が光源（１０´´）に向けて上がって傾いた状態で観察した場合、第二の基画像（８Ｂ´´）である桜の蕾の画像がＡ辺側に出現する。
【００９２】
次に、正反射光下において図２６（ａ）の状態から図２６(ｂ)の状態まで潜像印刷物（１´´）を徐々に傾けた場合、第二の基画像（８Ｂ´´）がＡ辺側からＡ´辺側へと徐々に移動する動画効果が生じる。図２６（ｂ）の状態で観察した場合、第二の基画像（８Ｂ´´）がＡ´辺側端部に位置する。
【００９３】
続いて、正反射光下において図２６（ｂ）の状態から図２６(ｃ)の状態まで潜像印刷物（１´´）を徐々に傾けた場合、Ａ´辺側端点に達していた第二の基画像（８Ｂ´´）は第一の基画像（８Ａ´´）にチェンジし、そのまま逆方向のＡ辺側へと移動する。以上のように、図２５の状態で構成された本発明の潜像印刷物（１´´）を正反射光下で傾けて観察した場合、第二の基画像（８Ｂ´´）がＡ辺側に出現してＡ´辺側端点まで動き、Ａ´辺側端点に達したのちに第一の基画像（８Ａ´´）にチェンジし、第一の基画像（８ＢＡ´´）はＡ辺側へと動くスムーズな動画効果が生じる。
【００９４】
以上のように、ＩＰ要素（７Ａ´´）の基画像である第一の基画像（８Ａ´´）とＩＰ反転要素（７Ｂ´´）の基画像である第二の基画像（８Ｂ´´）を異なる画像とすることによって、図２３に示す二つの要素群の位置関係と、図２５に示す二つの要素群の位置関係のいずれにおいても、動きの方向が逆転した場合に、同時に異なる画像へと画像がチェンジする効果を得ることができる。また、二つの要素群の位置関係が第一の方向（Ｓ１方向）にズレが生じた場合でも第一の実施の形態と同様にジャンプは生じず、二つの基画像（８Ａ´´、８Ｂ´´）の動きは連続的であって、スムーズである。
【００９５】
以下、前述の発明を実施するための形態にしたがって、具体的に作製した潜像印刷物の実施例について詳細に説明するが、本発明はこの実施例に限定されるものではない。
【実施例１】
【００９６】
図２７に潜像印刷物（１−１）を示す。図２７（ａ）に示すのは、潜像印刷物（１−１）の正面図であり、図２７（ｂ）に示すのは、潜像印刷物（１−１）のＡＡ´ラインにおける断面図である。潜像印刷物（１−１）は、基材（２−１）の上に、印刷画像領域（３−１）が形成されて成る。基材（２−１）は、一般的な白色コート紙（エスプリコートＦＭ  日本製紙製）を用いた。だい
【００９７】
本発明の印刷画像領域（３−１）の構成の概要を図２８に示す。印刷画像領域（３−１）は、蒲鉾形状要素群（４−１）と潜像要素群（５−１）を有する。潜像要素群（５−１）は、それぞれ同じ桜の花びらを基画像（図示せず）とするＩＰ要素群（５Ａ−１）とＩＰ反転要素群（５Ｂ−１）を有する。
【００９８】
図２９に示すのは蒲鉾形状要素群（４−１）であり、第一の方向（Ｓ１方向）の幅０．３ｍｍでの蒲鉾形状要素（６−１）が、第一の方向（Ｓ１方向）のピッチが０．４ｍｍで万線状に配置されて成る。また、図３０に示すのは、潜像要素群（５−１）であり、ＩＰ要素群（５Ａ−１）とＩＰ反転要素群（５Ｂ−１）とを構成する各要素が第一の方向（Ｓ１方向）に０．４ｍｍピッチで交互に連続して配されて成る。
【００９９】
図３１に示すのは、ＩＰ要素群（５Ａ−１）であり、画線幅０．１８ｍｍのＩＰ要素（７Ａ−１）を第一の方向（Ｓ１方向）にピッチ０．４ｍｍで万線状に配置して構成した。また、図３２に示すのはＩＰ反転要素群（５Ｂ−１）であり、画線幅０．１８ｍｍのＩＰ反転要素（７Ｂ−１）を第一の方向（Ｓ１方向）にピッチ０．４ｍｍで万線状に配置して構成した。これらの要素を互いに重なり合わないように、第一の方向（Ｓ１方向）に０．２mmだけ位相をずらして交互に連続して配することで潜像要素群（５−１）を構成した。本実施例におけるＩＰ画線（９−１）のフレーム（図示せず）は第一の方向（Ｓ１方向）の幅を４ｍｍ、第二の方向（Ｓ２方向）の高さを６ｍｍとし、第一の方向（Ｓ１方向）の圧縮率は０．０４５とした。
【０１００】
以上の構成の二つの画像を、まず基材（２−１）上に蒲鉾形状要素（４−１）をＵＶ乾燥方式のスクリーン印刷方式で印刷した。インキは、表１に示すＵＶスクリーンインキを用いた。本インキは、拡散反射光下では半透明であり、正反射光下では緑色の干渉色を発する。続いて、蒲鉾形状要素（４−１）の上に潜像要素群（５−１）をＵＶ乾燥方式のオフセット印刷方式で印刷した。インキは、透明なマットニス（マットメジュウム  Ｔ＆Ｋ  ＴＯＫＡ製）を使用した。また、蒲鉾形状要素（８−１）の盛り上がり高さは約１２μｍであった。二つの要素群の重なり合いの位置関係については、図３３に示したような位置関係で重ね合わせた。
【０１０１】
【表１】
0006361978.tif 000002
【０１０２】
以上の手順で作製した本発明の潜像印刷物（１−１）の効果を確認した。拡散反射光下において、印刷画像領域（３−１）中には桜の花びらは出現せず、完全に不可視であった（図示せず）。一方、正反射光下において図３４(ａ)のようにＡ辺側が光源（１０−１）に向けて上がって傾いた状態で観察した場合、パール顔料の干渉色である緑色を呈する背景の中を桜の花びらの画像がＡ´辺側に出現した。
【０１０３】
次に、正反射光下において図３４（ａ）の状態から図３４(ｂ)の状態まで潜像印刷物（１−１）を徐々に傾けた場合、緑色を呈する背景の中を桜の花びらがＡ´辺側からＡ辺側へと徐々に移動する動画効果が生じた。図３４（ｂ）の状態で観察した場合、桜の花びらがＡ´辺側端部に達した。
【０１０４】
続いて、正反射光下において図３４（ｂ）の状態から図３４(ｃ)の状態まで潜像印刷物（１）を徐々に傾けた場合、緑色を呈する背景の中をＡ辺側端点に達していた桜の花びらは逆方向のＡ´辺側へと移動した。以上のように、図３３の状態で構成された本発明の潜像印刷物（１）を正反射光下で傾けて観察した場合、桜の花びらがＡ´辺側端点に出現してＡ辺側端点まで動き、Ａ辺側端点に達したのちにＡ´辺側へと動き方向を変えるスムーズな動画効果が生じることが確認できた。また、蒲鉾形状要素（４−１）の上の潜像要素群（５−１）の位相を図３３の状態から第一の方向（Ｓ１方向）に０．２ｍｍずらした場合（図示せず）でも、ジャンプは生じなかった（図示せず）。以上のように、蒲鉾形状要素（４−１）と潜像要素群（５−１）の重ね合わせの位置に関係無く、ジャンプが生じないことが確認できた。
【符号の説明】
【０１０５】
１、１´、１´´、１−１  潜像印刷物
２、２´、２´´、２−１  基材
３、３´、３´´、３−１  印刷画像領域
４、４´、４´´、４−１  蒲鉾形状要素群
５、５´´、５−１        潜像要素群
５´                      潜像要素群ａ
５Ａ、５Ａ´´、５Ａ−１  ＩＰ要素群
５Ａ´                    ＩＰ要素群ａ
５Ｂ、５Ｂ´´、５Ｂ−１  ＩＰ反転要素群
５Ｂ´                    ＩＰ反転要素群ａ
６、６´、６´´、６−１  蒲鉾形状要素
７Ａ、７Ａ´´、７Ａ−１  ＩＰ要素
７Ａ´                    ＩＰ要素ａ
７Ｂ、７Ｂ´´、７Ｂ−１  ＩＰ反転要素
７Ｂ´                    ＩＰ反転要素ａ
８                        基画像
８´                      第一の基画像ａ
８Ａ、８Ａ´´            第一の基画像
８Ｂ、８Ｂ´´            第二の基画像
９、９´                  フレーム
１０、１０´´、１０−１  光源
１１、１１´´、１１−１  観察者の視点
【図１】
0006361978.tif 000003
【図２】
0006361978.tif 000004
【図３】
0006361978.tif 000005
【図４】
0006361978.tif 000006
【図５】
0006361978.tif 000007
【図６】
0006361978.tif 000008
【図７】
0006361978.tif 000009
【図８】
0006361978.tif 000010
【図９】
0006361978.tif 000011
【図１０】
0006361978.tif 000012
【図１１】
0006361978.tif 000013
【図１２】
0006361978.tif 000014
【図１３】
0006361978.tif 000015
【図１４】
0006361978.tif 000016
【図１５】
0006361978.tif 000017
【図１６】
0006361978.tif 000018
【図１７】
0006361978.tif 000019
【図１８】
0006361978.tif 000020
【図１９】
0006361978.tif 000021
【図２０】
0006361978.tif 000022
【図２１】
0006361978.tif 000023
【図２２】
0006361978.tif 000024
【図２３】
0006361978.tif 000025
【図２４】
0006361978.tif 000026
【図２５】
0006361978.tif 000027
【図２６】
0006361978.tif 000028
【図２７】
0006361978.tif 000029
【図２８】
0006361978.tif 000030
【図２９】
0006361978.tif 000031
【図３０】
0006361978.tif 000032
【図３１】
0006361978.tif 000033
【図３２】
0006361978.tif 000034
【図３３】
0006361978.tif 000035
【図３４】
0006361978.tif 000036
【図３５】
0006361978.tif 000037
【図３６】
0006361978.tif 000038